(57)【要約】本発明は、個人向けカスタマイズインターネット電話サービスを提供する方法及びそれを用いる端末に関し、個人向けカスタマイズインターネット電話サービスのウェブサーバ（１０）に、ユーザ（２０）がインターネットに接続可能な端末で接続し、サービス加入及び個人情報を上記個人向けカスタマイズインターネット電話サービスのウェブサーバ（１０）のデータベース（１１）、（１２）に格納及び設定する段階（Ｓ１０）と、ユーザ（２０）が既存の使用中のインターネット電話通信事業者の有無線インターネット電話端末（２１）を介して個人向けカスタマイズインターネット電話サービスのウェブサーバ（１０）に接続する段階（Ｓ２０）と、上記個人向けカスタマイズインターネット電話サービスのウェブサーバ（１０）から提供される別窓表示による本人認証及び使用料金の決済手段を、上記有無線インターネット電話端末（２１）で選択する段階（Ｓ３０）と、上記本人認証及び決済手段の選択後、有無線インターネット電話端末（２１）で個人向けカスタマイズインターネット電話サービスのウェブサーバ（１０）の個人電話帳格納データベース（１２）に格納された個人設定電話帳の電話番号を呼び出し、相手方（３０）と通話連結するか、または、上記個人向けカスタマイズインターネット電話サービスのウェブサーバ（１０）から付加的に提供される電話番号へ通話する段階（Ｓ４０）と、上記個人電話帳格納データベース（１２）に格納されていない新規な電話番号へ通話したときに、通話内訳及び新規電話番号を個人電話帳格納データベース（１２）に格納した後、有無線インターネット電話端末（２１）の使用を終了する段階（Ｓ５０）とを含む。従って、本発明は、端末に備えられるインターネット接続手段を用いて上記個人向けカスタマイズインターネット電話サービスのウェブサーバに接続し、自身の携帯電話端末に格納されている電話番号目録を個人電話帳格納データベースからそのまま呼び出すか、または、上記ウェブサーバから提供される関心のある地域または現在地域での業種別電話番号目録を付加提供電話帳格納データベースから提供されて通話できるため、既存のインターネット電話通信事業者のインターネット電話サービスが可能な有無線インターネット電話端末を用いて上記個人向けカスタマイズインターネット電話サービスのウェブサーバに接続し、通話しようとする電話番号を検索したり通話したりするのが自身の携帯電話端末のように容易であるので、有無線インターネット電話端末を大衆化できる効果を奏する。
2012516101.tif 000002
【特許請求の範囲】
【請求項１】
個人向けカスタマイズインターネット電話サービスを提供する方法において、
個人向けカスタマイズインターネット電話サービスのウェブサーバ（１０）に、ユーザ（２０）がインターネットに接続可能な端末で接続し、サービス加入及び個人情報を上記個人向けカスタマイズインターネット電話サービスのウェブサーバ（１０）のデータベース（１１、１２）に格納及び設定する段階（Ｓ１０）と、
ユーザ（２０）が既存の使用中のインターネット電話通信事業者の有無線インターネット電話端末（２１）を介して個人向けカスタマイズインターネット電話サービスのウェブサーバ（１０）に接続する段階（Ｓ２０）と、
上記個人向けカスタマイズインターネット電話サービスのウェブサーバ（１０）から提供される別窓表示による本人認証及び使用料金の決済手段を、上記有無線インターネット電話端末（２１）で選択する段階（Ｓ３０）と、
上記本人認証及び決済手段の選択後、有無線インターネット電話端末（２１）で個人向けカスタマイズインターネット電話サービスのウェブサーバ（１０）の個人電話帳格納データベース（１２）に格納された個人設定電話帳の電話番号を呼び出し、相手方（３０）の電話端末（３１）と通話連結するか、または、上記個人向けカスタマイズインターネット電話サービスのウェブサーバ（１０）から付加的に提供される電話番号へ通話する段階（Ｓ４０）と、
上記個人電話帳格納データベース（１２）に格納されていない新規な電話番号へ通話したときに、通話内訳及び新規電話番号を個人電話帳格納データベース（１２）に格納した後、有無線インターネット電話端末（２１）の使用を終了する段階（Ｓ５０）とを含むことを特徴とする個人向けカスタマイズインターネット電話サービスを提供する方法。
【請求項２】
上記（Ｓ１０）段階は、
ユーザ（２０）がインターネットに接続可能な端末で個人向けカスタマイズインターネット電話サービスのウェブサーバ（１０）に接続し、本人認証を行った後、個人情報を入力することでサービス加入がなされると、上記情報が個人情報格納データベース（１１）に格納及び設定される段階（Ｓ１１）と、
サービス加入後、現在、ユーザ（２０）が使用している携帯電話端末（２２）に格納されている電話番号目録を上記個人電話帳格納データベース（１２）に格納する段階（Ｓ１２）と、
上記個人向けカスタマイズインターネット電話サービスのウェブサーバ（１０）のサービス利用時に、付加的に提供される電話番号及び電話番号提供順序を設定する段階（Ｓ１３）と、
有無線インターネット電話端末（２１）で使用するユーザ（２０）本人の認証方法を設定する段階（Ｓ１４）と、
上記有無線インターネット電話端末（２１）を使用することにより発生する通話料金に対する決済手段を登録させる段階（Ｓ１５）とを含むことを特徴とする請求項１に記載の個人向けカスタマイズインターネット電話サービスを提供する方法。
【請求項３】
上記（Ｓ１２）段階である携帯電話端末（２２）に格納されている電話番号の個人電話帳格納データベース（１２）への格納は、自動格納方法または手動格納方法を使用し、
上記自動格納方法では、個人向けカスタマイズインターネット電話サービスのウェブサーバ（１０）から提供される自動格納アプリケーションを、ユーザ（２０）の携帯電話端末（２２）に文字メッセージと無線インターネットを用いて設置した後、周期的に、上記携帯電話端末（２２）に格納されている電話番号が無線インターネットを用いて自動で個人電話帳格納データベース（１２）に格納され、
また、上記手動格納方法では、上記個人向けカスタマイズインターネット電話サービスのウェブサーバ（１０）に、有無線インターネットに接続可能なコンピュータ通信端末とユーザ（２０）の携帯電話端末（２２）とをコネクターで連結し、個人電話帳格納データベース（１２）に格納する方法、または、上記個人向けカスタマイズインターネット電話サービスのウェブサーバ（１０）から提供され、ユーザ（２０）の携帯電話端末（２２）に設けられるアプリケーションを、ボタンで活性化させ、無線インターネットを介して個人電話帳格納データベース（１２）に格納する方法、または、無線インターネットが可能なユーザ（２０）の携帯電話端末（２２）で、上記個人向けカスタマイズインターネット電話サービスのウェブサーバ（１０）に直接接続し、個人電話帳格納データベース（１２）に格納する方法のうちのいずれか一つを選択して用いることを特徴とする請求項２に記載の個人向けカスタマイズインターネット電話サービスを提供する方法。
【請求項４】
上記（Ｓ１３）段階の付加的に提供される電話番号については、
個人向けカスタマイズインターネット電話サービスのウェブサーバ（１０）の付加提供電話帳格納データベース（１３）に格納されたユーザ（２０）の関心のある地域やユーザ（２０）の現在位置に応じた関心業種の電話番号の提供、または、電話料金の割引及び謝恩品イベントを実施している所の電話番号の提供の中から、ユーザ（２０）の有無線インターネット電話端末（２１）により選択的に設定され、また、
電話番号の提供順序は、受信者の料金プランに応じた無料電話番号順またはユーザ（２０）の使用する有無線インターネット電話端末（２１）が加入されたインターネット電話通信事業者の料金プランに応じた無料電話番号順または低廉な通信費用の電話番号順の中から、ユーザ（２０）の有無線インターネット電話端末（２１）により選択的に設定されることを特徴とする請求項２に記載の個人向けカスタマイズインターネット電話サービスを提供する方法。
【請求項５】
上記（Ｓ１４）段階の本人認証方法は、
ＩＤ（ユーザ携帯電話番号／文字／数字）及び設定したパスワードを用いた認証方法、またはユーザ（２０）の携帯電話に認証番号を文字で発送して認証する方法、またはユーザ（２０）の公認認証書及びそのパスワードを用いた認証方法、またはユーザ（２０）のクレジットカード及びそのパスワードを用いた認証方法に対し、各認証方法で要求される情報が入力され、上記認証方法のうちのいずれか一つを基本認証手段として選択することを特徴とする請求項２に記載の個人向けカスタマイズインターネット電話サービスを提供する方法。
【請求項６】
上記（Ｓ１５）段階の料金決済手段は、
ユーザ（２０）の携帯電話料金や通信料金に合算して請求する方法、またはユーザ（２０）のクレジットカード使用料金に合算して請求する方法、またはユーザ（２０）に料金請求書による請求や自動引き落としにより支払う方法のうちのいずれか一つを基本決済手段として選択することを特徴とする請求項２に記載の個人向けカスタマイズインターネット電話サービスを提供する方法。
【請求項７】
上記（Ｓ２０）段階では、
個人向けカスタマイズインターネット電話サービスのウェブサーバ（１０）から提供されるアプリケーションが設けられる家庭用または事務用またはインターネット公衆電話または移動通信端末のうちのいずれか一つを選択的に用いる有無線インターネット電話端末（２１）の画面上で、タッチスクリーン方式で提供される数字コードを有する実行メニューボタンまたは有無線インターネット電話端末（２１）の外部にボタン方式で提供されるインターネット電話サービス実行メニューボタンを直接クリックするか、または、上記有無線インターネット電話端末（２１）の画面上で提供される該当メニューの数字コード番号を、電話機の外部数字列ボタンで入力し、有無線インターネットを介して個人向けカスタマイズインターネット電話サービスのウェブサーバ（１０）に接続することを特徴とする請求項１に記載の個人向けカスタマイズインターネット電話サービスを提供する方法。
【請求項８】
上記（Ｓ３０）段階では、
個人向けカスタマイズインターネット電話サービスのウェブサーバ（１０）に接続して使用する有無線インターネット電話端末（２１）の画面上に、タッチスクリーン方式で提供される文字数字列ボタンまたは外部の文字数字列ボタンをクリックし、加入時に設定した基本認証方法または他の認証方法を選択してログインし、利用するインターネット電話の通話料金に対する基本決済手段または他の決済手段を選択するが、上記決済手段を選択しないときには、使用される有無線インターネット電話端末（２１）の基本料金が適用されることを特徴とする請求項１に記載の個人向けカスタマイズインターネット電話サービスを提供する方法。
【請求項９】
上記（Ｓ４０）段階は、
加入時にユーザ（２０）が格納した電話番号目録を、個人電話帳格納データベース（１２）から呼び出す個人電話番号呼出サービスメニューと、加入時にユーザ（２０）が付加的に提供を受けるように設定した条件の該当電話番号を、付加提供電話帳格納データベース（１３）から提供される付加サービスメニューとが、有無線インターネット電話端末（２１）での別窓表示で活性化される段階（Ｓ４１）と、
上記個人電話番号呼出サービスメニューまたは付加サービスメニューのうちサービスを受けようとするメニューを有無線インターネット電話端末（２１）のボタンで選択し、個人電話番号の呼出または付加サービス電話番号の提供を受ける段階（Ｓ４２）と、
上記個人電話番号呼出サービスの選択時に、最初のユーザ（２０）の携帯電話端末（２２）に格納されたグループのメニューが活性化され、また、付加サービスの選択時に、関心のある地域または現在地域の業種別グループメニューが活性化される段階（Ｓ４３）と、
上記個人電話番号呼出サービスグループの選択時に、該当グループに属する該当者の電話番号が、ユーザ（２０）の携帯電話端末（２２）に格納されている順番通りに並べられ、また、付加サービスグループの選択時に、該当グループに属する該当業種の電話番号を、受信者の料金プランまたはユーザ（２０）の使用中の有無線インターネット電話端末（２１）が加入されたインターネット電話通信事業者の料金プランに応じた無料通話と低廉な通信費用を優先して並べる段階（Ｓ４４）と、
上記個人電話番号呼出サービスにより呼び出される電話番号または付加サービスにより提供される電話番号のうち通話しようとする電話番号を選択して通話連結するが、ユーザ（２０）は、外部数字列ボタンにより、有無線インターネット電話端末（２１）の画面上に構成される数字コードを有するメニューのうち通話しようとする電話番号をツリー構造の下位レベルに行って通話連結する方法、またはユーザ（２０）が探そうとする該当グループや相手方（３０）の文字列及び該当電話番号の一部数字列を、有無線インターネット電話端末（２１）の検索窓で検索して通話連結する方法のうちのいずれか一つを選択して通話連結する段階（Ｓ４５）とを含むことを特徴とする請求項１に記載の個人向けカスタマイズインターネット電話サービスを提供する方法。
【請求項１０】
上記（Ｓ５０）段階では、
個人向けカスタマイズインターネット電話サービスのウェブサーバ（１０）の個人電話帳格納データベース（１２）から呼び出しや提供がなされない新規番号の通話連結前または通話連結後に、有無線インターネット電話端末（２１）の画面上に提供される新規格納メニューボタンが活性化され、上記個人向けカスタマイズインターネット電話サービスのウェブサーバ（１０）の個人電話帳格納データベース（１２）に格納されている電話番号目録に新規に格納されることを特徴とする請求項１に記載の個人向けカスタマイズインターネット電話サービスを提供する方法。
【請求項１１】
上記有無線インターネット電話端末（２１）の使用が終了する度に、ユーザ（２０）が電話した日時と電話番号、通話時間、通話料金及び通話料金の決済手段が、個人向けカスタマイズインターネット電話サービスのウェブサーバ（１０）の個人情報格納データベース（１１）に自動格納され、また、
上記利用内訳は、ユーザ（２０）が個人向けカスタマイズインターネット電話サービスのウェブサーバ（１０）に加入する際に入力した電子メールへ自動発送またはユーザ（２０）の携帯電話端末へ関連文字メッセージが自動発送され、ユーザ（２０）は、個人向けカスタマイズインターネット電話サービスのウェブサーバ（１０）にログインして上記利用内訳を確認できることを特徴とする請求項１に記載の個人向けカスタマイズインターネット電話サービスを提供する方法。
【請求項１２】
上記個人向けカスタマイズインターネット電話サービスのウェブサーバ（１０）に、有無線インターネット電話端末（２１）を用いてログインし、または有無線インターネット電話端末（２１）で電話をした後、一定時間ボタンによる入力信号がない場合と、上記有無線インターネット電話端末（２１）でユーザ（２０）が受話器を置いたり強制終了メニューボタンを選択したりする場合とに、ユーザ（２０）の終了信号として認識し、上記個人向けカスタマイズインターネット電話サービスのウェブサーバ（１０）から自動的にログアウトされることを特徴とする請求項１に記載の個人向けカスタマイズインターネット電話サービスを提供する方法。
【請求項１３】
上記有無線インターネット電話端末（２１）は、コンピュータ端末に直接連結される音声通話手段を含むことを特徴とする請求項１に記載の個人向けカスタマイズインターネット電話サービスを提供する方法。
【請求項１４】
請求項１乃至請求項１３のうちのいずれか一項によりサービスされることを特徴とする個人向けカスタマイズインターネット電話サービスを提供する端末。
【発明の詳細な説明】
【技術分野】
【０００１】
本発明は、個人向けカスタマイズインターネット電話サービスを提供する方法及びそれを用いる端末に関し、より詳細には、有無線インターネット電話端末を用いて個人向けカスタマイズインターネット電話サービスのウェブサーバに格納された電話番号を呼び出すか、または、上記ウェブサーバから提供される電話番号を用いて電話する個人向けカスタマイズインターネット電話サービスを提供する方法及びそれを用いる端末に関する。
【背景技術】
【０００２】
インターネット電話（Ｉｎｔｅｒｎｅｔ  ｔｅｌｅｐｈｏｎｅ）は、インターネットを経由して音声の送受信をすることにより、通常の電話のように利用するシステムまたはサービスであり、インターネットフォンまたはＶＯＩＰ電話とも称する。
【０００３】
１９９５年、米国のベンチャー企業であるボーカルテック（Ｖｏｃａｌ  Ｔｅｃｈ）社により、パーソナルコンピュータ（ＰＣ）に接続するマイクとスピーカーを介して通話するシステムが開発されて普及し始め、インターネット電話方式は、ＰＣとＰＣとの間でなされる形態またはＰＣと電話機との間でなされる形態または電話機と電話機との間でなされる形態がある。
【０００４】
しかし、上記のような一般のインターネット電話方式は、相手方と通話するために、自身の携帯電話端末に格納された電話番号を検索した後、検索された電話番号を使用したいインターネット電話端末に入力させるか、あるいは、電話帳またはインターネット上で所望の商号などを検索した後、検索された電話番号を使用したいインターネット電話端末に入力させなければならないので、電話番号の検索が面倒で時間が長くかかる問題がある。
【発明の概要】
【発明が解決しようとする課題】
【０００５】
上述したような問題を解決するために、本発明は、個人向けカスタマイズインターネット電話サービスのウェブサーバに、ユーザが会員登録した後、上記ウェブサーバのデータベースに使用中の携帯電話端末の電話番号目録を格納した後、既存の使用中の、インターネット電話通信事業者のインターネット電話サービスが可能な端末（携帯電話形態のインターネット電話端末、家庭用及び事務用の一般電話形態のインターネット電話端末、ＰＤＡ形態のインターネット電話端末、公衆電話形態のインターネット端末、インターネット電話サービスプログラムを活用したコンピュータ形態のインターネット電話端末）を用いて電話をかけるにあたり、上記インターネット電話サービスが可能な端末に備えられるインターネット接続手段を用い、個人向けカスタマイズインターネット電話サービスのウェブサーバに接続して自身の携帯電話端末から格納されている電話番号目録を呼び出すか、または、上記ウェブサーバから提供される関心のある地域または現在の地域での業種別電話番号目録の提供を受け、呼び出しまたは提供される電話番号を用いて通話する個人向けカスタマイズインターネット電話サービスを提供する方法及びそれを用いる端末を提供することに目的がある。
【課題を解決するための手段】
【０００６】
上記目的を達成するための方法として、個人向けカスタマイズインターネット電話サービスのウェブサーバに、ユーザが、インターネットに接続可能な端末で接続し、サービス加入及び個人情報を上記個人向けカスタマイズインターネット電話サービスのウェブサーバのデータベースに格納及び設定する段階と、ユーザが、既存の使用中のインターネット電話通信事業者の有無線インターネット電話端末を介し、個人向けカスタマイズインターネット電話サービスのウェブサーバに接続する段階と、上記個人向けカスタマイズインターネット電話サービスのウェブサーバから提供される別窓表示での本人認証、及び使用料金の決済手段を上記有無線インターネット電話端末で選択する段階と、上記本人認証及び決済手段の選択後、有無線インターネット電話端末で個人向けカスタマイズインターネット電話サービスのウェブサーバの個人電話帳格納データベースに格納されている個人設定電話帳の電話番号を呼び出し、相手方と通話するか、または、上記個人向けカスタマイズインターネット電話サービスのウェブサーバから付加的に提供される電話番号へ通話する段階と、上記個人電話帳格納データベースに格納されていない新規な電話番号へ通話したときに、通話内訳及び新規電話番号を個人電話帳格納データベースに格納した後、有無線インターネット電話端末の使用を終了する段階とを含む。
【０００７】
本発明の他の特徴として、上記Ｓ１０段階は、ユーザが、インターネットに接続可能な端末で個人向けカスタマイズインターネット電話サービスのウェブサーバに接続し、本人認証を行った後、個人情報を入力することでサービス加入がなされると、上記情報が個人情報格納データベースに格納及び設定される段階と、サービス加入後、現在、ユーザが使用している携帯電話端末に格納されている電話番号目録を上記個人電話帳格納データベースに格納する段階と、上記個人向けカスタマイズインターネット電話サービスのウェブサーバのサービス利用時に、付加的に提供される電話番号及び電話番号提供順序を設定する段階と、有無線インターネット電話端末で使用するユーザ本人の認証方法を設定する段階と、上記有無線インターネット電話端末を使用することにより発生する通話料金に対する決済手段を登録させる段階とを含む。
【０００８】
本発明の他の特徴として、上記Ｓ１２段階である携帯電話端末に格納されている電話番号の個人電話帳格納データベースへの格納は、自動格納方法または手動格納方法を用いるが、上記自動格納方法では、個人向けカスタマイズインターネット電話サービスのウェブサーバから提供される自動格納アプリケーションを、ユーザの携帯電話端末に文字メッセージと無線インターネットを用いて設置した後、周期的に、上記携帯電話端末に格納されている電話番号が無線インターネットを用いて自動で個人電話帳格納データベースに格納され、また、上記手動格納方法では、上記個人向けカスタマイズインターネット電話サービスのウェブサーバに、有無線インターネットに接続可能なコンピュータ通信端末とユーザの携帯電話端末とをコネクターで連結し、個人電話帳格納データベースに格納する方法、または上記個人向けカスタマイズインターネット電話サービスのウェブサーバから提供され、ユーザの携帯電話端末に設けられるアプリケーションを、ボタンで活性化させ、無線インターネットを介して個人電話帳格納データベースに格納する方法、または無線インターネットが可能なユーザの携帯電話端末で、上記個人向けカスタマイズインターネット電話サービスのウェブサーバに直接接続し、個人電話帳格納データベースに格納する方法のうちのいずれか一つを選択して用いる。
【０００９】
本発明の他の特徴として、上記Ｓ１３段階の付加的に提供される電話番号については、個人向けカスタマイズインターネット電話サービスのウェブサーバの付加提供電話帳格納データベースに格納されたユーザの関心のある地域やユーザの現在位置に応じた関心業種の電話番号の提供、または、電話料金の割引及び謝恩品イベントを実施している所の電話番号の提供の中から、ユーザの有無線インターネット電話端末により選択的に設定され、また、電話番号の提供順序は、受信者の料金プランに応じた無料電話番号順またはユーザの使用する有無線インターネット電話端末が加入されたインターネット電話通信事業者の料金プランに応じた無料電話番号順または低廉な通信費用の電話番号順の中から、ユーザの有無線インターネット電話端末により選択的に設定される。
【００１０】
本発明の他の特徴として、上記Ｓ１４段階の本人認証方法については、ＩＤ（ユーザ携帯電話番号／文字／数字）及び設定したパスワードを用いた認証方法、またはユーザの携帯電話に認証番号を文字で発送して認証する方法、またはユーザの公認認証書及びそのパスワードを用いた認証方法、またはユーザのクレジットカード及びそのパスワードを用いた認証方法に対し、各認証方法で要求される情報が入力され、上記認証方法のうちのいずれか一つを基本認証手段として選択する。
【００１１】
本発明の他の特徴として、上記Ｓ１５段階の料金決済手段については、ユーザの携帯電話料金や通信料金に合算して請求する方法、またはユーザのクレジットカード使用料金に合算して請求する方法、またはユーザに料金請求書による請求や自動引き落としにより支払う方法のうちのいずれか一つを基本決済手段として選択する。
【００１２】
本発明の他の特徴として、上記Ｓ２０段階では、個人向けカスタマイズインターネット電話サービスのウェブサーバから提供されるアプリケーションが設けられる家庭用または事務用またはインターネット公衆電話または移動通信端末のうちのいずれか一つを選択的に用いる有無線インターネット電話端末の画面上で、タッチスクリーン方式で提供される数字コードを有する実行メニューボタンまたは有無線インターネット電話端末の外部にボタン方式で提供されるインターネット電話サービス実行メニューボタンを直接クリックするか、または、上記有無線インターネット電話端末の画面上で提供される該当メニューの数字コード番号を、電話機の外部数字列ボタンで入力し、有無線インターネットを介して個人向けカスタマイズインターネット電話サービスのウェブサーバに接続する。
【００１３】
本発明の他の特徴として、上記Ｓ３０段階では、個人向けカスタマイズインターネット電話サービスのウェブサーバに接続して使用する有無線インターネット電話端末の画面上に、タッチスクリーン方式で提供される文字数字列ボタンまたは外部の文字数字列ボタンをクリックし、加入時に設定した基本認証方法または他の認証方法を選択してログインし、利用するインターネット電話の通話料金に対する基本決済手段または他の決済手段を選択するが、上記決済手段を選択しないときには、使用される有無線インターネット電話端末の基本料金が適用される。
【００１４】
本発明の他の特徴として、上記Ｓ４０段階は、加入時にユーザが格納した電話番号目録を、個人電話帳格納データベースから呼び出す個人電話番号呼出サービスメニューと、加入時にユーザが付加的に提供を受けるように設定した条件の該当電話番号を、付加提供電話帳格納データベースから提供される付加サービスメニューとが、有無線インターネット電話端末での別窓表示で活性化される段階と、上記個人電話番号呼出サービスメニューまたは付加サービスメニューのうちサービスを受けようとするメニューを有無線インターネット電話端末のボタンで選択し、個人電話番号の呼出または付加サービス電話番号の提供を受ける段階と、上記個人電話番号呼出サービスの選択時に、最初のユーザの携帯電話端末に格納されたグループのメニューが活性化され、また、付加サービスの選択時に、関心のある地域または現在地域の業種別グループメニューが活性化される段階と、上記個人電話番号呼出サービスグループの選択時に、該当グループに属する該当者の電話番号が、ユーザの携帯電話端末に格納されている順番通りに並べられ、また、付加サービスグループの選択時に、該当グループに属する該当業種の電話番号を、受信者の料金プランまたはユーザの使用中の有無線インターネット電話端末が加入されたインターネット電話通信事業者の料金プランに応じた無料通話と低廉な通信費用を優先して並べる段階と、上記個人電話番号呼出サービスにより呼び出される電話番号または付加サービスにより提供される電話番号のうち通話しようとする電話番号を選択して通話連結するが、ユーザは、外部数字列ボタンにより、有無線インターネット電話端末の画面上に構成される数字コードを有するメニューのうち通話しようとする電話番号をツリー構造の下位レベルに行って通話連結する方法、またはユーザが探そうとする該当グループや相手方の文字列及び該当電話番号の一部数字列を、有無線インターネット電話端末の検索窓で検索して通話連結する方法のうちのいずれか一つを選択して通話連結する段階とを含む。
【００１５】
本発明の他の特徴として、上記Ｓ５０段階では、個人向けカスタマイズインターネット電話サービスのウェブサーバの個人電話帳格納データベースから呼び出しや提供がなされない新規番号の通話連結前または通話連結後に、有無線インターネット電話端末の画面上に提供される新規格納メニューボタンが活性化され、上記個人向けカスタマイズインターネット電話サービスのウェブサーバの個人電話帳格納データベースに格納されている電話番号目録に新規に格納される。
【００１６】
本発明の他の特徴として、上記有無線インターネット電話端末の使用が終了する度に、ユーザが電話した日時と電話番号、通話時間、通話料金及び通話料金の決済手段が、個人向けカスタマイズインターネット電話サービスのウェブサーバの個人情報格納データベースに自動格納され、また、上記利用内訳は、ユーザが個人向けカスタマイズインターネット電話サービスのウェブサーバに加入する際に入力した電子メールへ自動発送またはユーザの携帯電話端末へ関連文字メッセージが自動発送され、ユーザは、個人向けカスタマイズインターネット電話サービスのウェブサーバにログインして上記利用内訳を確認することができる。
【００１７】
本発明の他の特徴として、上記個人向けカスタマイズインターネット電話サービスのウェブサーバに、有無線インターネット電話端末を用いてログインし、または有無線インターネット電話端末で電話をした後、一定時間ボタンによる入力信号がない場合と、上記有無線インターネット電話端末でユーザが受話器を置いたり強制終了メニューボタンを選択したりする場合とに、ユーザの終了信号として認識し、上記個人向けカスタマイズインターネット電話サービスのウェブサーバから自動的にログアウトされる。
【００１８】
本発明の他の特徴として、上記有無線インターネット電話端末は、コンピュータ端末に直接連結される音声通話手段を含む。
【発明の効果】
【００１９】
上記のように、本発明は、ユーザが個人向けカスタマイズインターネット電話サービスのウェブサーバに会員登録した後、自身の携帯電話端末に格納されている電話番号目録を、上記ウェブサーバに自動または手動で格納し、既存の使用中のインターネット電話通信事業者のインターネット電話サービスが可能な端末を用いて電話をかけるにあたり、端末に備えられるインターネット接続手段を用いて上記個人向けカスタマイズインターネット電話サービスのウェブサーバに接続し、自身の携帯電話端末に格納されている電話番号目録を個人電話帳格納データベースからそのまま呼び出すか、または、上記ウェブサーバから提供される関心のある地域または現在地域での業種別電話番号目録を付加提供電話帳格納データベースから提供されて通話できるため、既存のインターネット電話通信事業者のインターネット電話サービスが可能な有無線インターネット電話端末を用いて上記個人向けカスタマイズインターネット電話サービスのウェブサーバに接続し、通話しようとする電話番号を検索したり通話したりするのが自身の携帯電話端末のように容易であるので、有無線インターネット電話端末を大衆化できる効果を奏する。
【図面の簡単な説明】
【００２０】
【図１】図１は本発明による個人向けカスタマイズインターネット電話サービスを提供する方法を示すフローチャートである。
【図２】図２は本発明による個人向けカスタマイズインターネット電話サービスのウェブサーバへのサービス加入過程を示すフローチャートである。
【図３】図３は本発明による個人設定電話番号の呼出及び付加的に提供される電話番号への通話過程を示すフローチャートである。
【図４】図４は本発明による個人向けカスタマイズインターネット電話サービスを用いた実施構成図である。
【図５】図５は本発明による有無線インターネット電話端末における電話番号の検索過程を示す参考図である。
【図６】図６は本発明による有無線インターネット電話端末における電話番号の検索過程を示す参考図である。
【発明を実施するための形態】
【００２１】
図１は、本発明による個人向けカスタマイズインターネット電話サービスを提供する方法を示すフローチャートであり、図２は、本発明による個人向けカスタマイズインターネット電話サービスのウェブサーバへのサービス加入過程を示すフローチャート、図３は、本発明による個人設定電話番号の呼出及び付加的に提供される電話番号への通話過程を示すフローチャート、図４は、本発明による個人向けカスタマイズインターネット電話サービスを用いた実施構成図、図５及び図６は、本発明による有無線インターネット電話端末における電話番号の検索過程を示す参考図である。
【００２２】
以下、図面を参照して構成要素を説明する。
図１は、本発明による個人向けカスタマイズインターネット電話サービスを提供する方法を示すフローチャートであって、個人向けカスタマイズインターネット電話サービスのウェブサーバ１０に、ユーザ２０がインターネットに接続可能な端末で接続し、サービス加入及び個人情報を上記個人向けカスタマイズインターネット電話サービスのウェブサーバ１０のデータベース１１、１２に格納及び設定するＳ１０段階と、ユーザ２０が既存の使用中のインターネット電話通信事業者の有無線インターネット電話端末２１を介して個人向けカスタマイズインターネット電話サービスのウェブサーバ１０に接続するＳ２０段階と、上記個人向けカスタマイズインターネット電話サービスのウェブサーバ１０から提供される別窓表示による本人認証及び使用料金の決済手段を、上記有無線インターネット電話端末２１で選択するＳ３０段階と、上記本人認証及び決済手段の選択後、有無線インターネット電話端末２１で個人向けカスタマイズインターネット電話サービスのウェブサーバ１０の個人電話帳格納データベース１２に格納された個人設定電話帳の電話番号を呼び出し、相手方３０の電話端末３１と通話連結するか、または、上記個人向けカスタマイズインターネット電話サービスのウェブサーバ１０から付加的に提供される電話番号へ通話するＳ４０段階と、上記個人電話帳格納データベース１２に格納されていない新規な電話番号へ通話したときに、通話内訳及び新規電話番号を個人電話帳格納データベース１２に格納した後、有無線インターネット電話端末２１の使用を終了するＳ５０段階とを含む。
【００２３】
上記Ｓ１０段階は、図２に示すように、ユーザ２０がインターネットに接続可能な端末で個人向けカスタマイズインターネット電話サービスのウェブサーバ１０に接続し、本人認証を行った後、個人情報を入力することでサービス加入がなされると、上記情報が個人情報格納データベース１１に格納及び設定されるＳ１１段階と、サービス加入後、現在、ユーザ２０が使用している携帯電話端末２２に格納されている電話番号目録を上記個人電話帳格納データベース１２に格納するＳ１２段階と、上記個人向けカスタマイズインターネット電話サービスのウェブサーバ１０のサービス利用時に、付加的に提供される電話番号及び電話番号提供順序を設定するＳ１３段階と、有無線インターネット電話端末２１で使用するユーザ２０本人の認証方法を設定するＳ１４段階と、上記有無線インターネット電話端末２１を使用することにより発生する通話料金に対する決済手段を登録させるＳ１５段階とを含む。
【００２４】
上記Ｓ１２段階である携帯電話端末２２に格納されている電話番号の個人電話帳格納データベース１２への格納は、自動格納方法または手動格納方法を用いる。
【００２５】
上記自動格納方法では、個人向けカスタマイズインターネット電話サービスのウェブサーバ１０から提供される自動格納アプリケーションを、ユーザ２０の携帯電話端末２２に文字メッセージと無線インターネットを用いて設置した後、周期的に、上記携帯電話端末２２に格納されている電話番号が無線インターネットを用いて自動で個人電話帳格納データベース１２に格納される。
【００２６】
また、上記手動格納方法では、上記個人向けカスタマイズインターネット電話サービスのウェブサーバ１０に、有無線インターネットに接続可能なコンピュータ通信端末とユーザ２０の携帯電話端末２２とをコネクターで連結し、個人電話帳格納データベース１２に格納する方法、または、上記個人向けカスタマイズインターネット電話サービスのウェブサーバ１０から提供され、ユーザ２０の携帯電話端末２２に設けられるアプリケーションを、ボタンで活性化させ、無線インターネットを介して個人電話帳格納データベース１２に格納する方法、または、無線インターネットが可能なユーザ２０の携帯電話端末２２で、上記個人向けカスタマイズインターネット電話サービスのウェブサーバ１０に直接接続し、個人電話帳格納データベース１２に格納する方法のうちのいずれか一つを選択して用いる。
【００２７】
逆に、上記個人向けカスタマイズインターネット電話サービスのウェブサーバ１０の個人電話帳格納データベース１２に格納されている電話番号目録を、ユーザ２０の携帯電話端末２２へ伝送することもできる。
【００２８】
上記Ｓ１３段階の付加的に提供される電話番号については、個人向けカスタマイズインターネット電話サービスのウェブサーバ１０の付加提供電話帳格納データベース１３に格納されたユーザ２０の関心のある地域やユーザ２０の現在位置に応じた関心業種の電話番号の提供、または、電話料金の割引及び謝恩品イベントを実施している所の電話番号の提供の中から、ユーザ２０の有無線インターネット電話端末２１により選択的に設定され、また、電話番号の提供順序は、受信者の料金プランに応じた無料電話番号順またはユーザ２０の使用する有無線インターネット電話端末２１が加入されたインターネット電話通信事業者の料金プランに応じた無料電話番号順または低廉な通信費用の電話番号順の中から、ユーザ２０の有無線インターネット電話端末２１により選択的に設定される。
【００２９】
上記Ｓ１４段階の本人認証方法は、ＩＤ（ユーザ携帯電話番号／文字／数字）及び設定したパスワードを用いた認証方法、またはユーザ２０の携帯電話に認証番号を文字で発送して認証する方法、またはユーザ２０の公認認証書及びそのパスワードを用いた認証方法、またはユーザ２０のクレジットカード及びそのパスワードを用いた認証方法に対し、各認証方法で要求される情報が入力され、上記認証方法のうちのいずれか一つを基本認証手段として選択して用いることができる。
【００３０】
料金決済手段の場合は、上記Ｓ１５段階でのように、ユーザ２０の携帯電話料金や通信料金に合算して請求する方法、またはユーザ２０のクレジットカード使用料金に合算して請求する方法、またはユーザ２０に料金請求書による請求や自動引き落としにより支払う方法のうちのいずれか一つを基本決済手段として選択して決済することができる。
【００３１】
上記Ｓ２０段階では、個人向けカスタマイズインターネット電話サービスのウェブサーバ１０から提供されるアプリケーションが設けられる家庭用または事務用またはインターネット公衆電話または移動通信端末のうちのいずれか一つを選択的に用いる有無線インターネット電話端末２１の画面上で、タッチスクリーン方式で提供される数字コードを有する実行メニューボタンまたは有無線インターネット電話端末２１の外部にボタン方式で提供されるインターネット電話サービス実行メニューボタンを直接クリックするか、または、上記有無線インターネット電話端末２１の画面上で提供される該当メニューの数字コード番号を、電話機の外部数字列ボタンで入力し、有無線インターネットを介して個人向けカスタマイズインターネット電話サービスのウェブサーバ１０に接続する。
【００３２】
上記Ｓ３０段階では、個人向けカスタマイズインターネット電話サービスのウェブサーバ１０に接続して使用する有無線インターネット電話端末２１の画面上に、タッチスクリーン方式で提供される文字数字列ボタンまたは外部の文字数字列ボタンをクリックし、加入時に設定した基本認証方法または他の認証方法を選択してログインし、利用するインターネット電話の通話料金に対する基本決済手段または他の決済手段を選択するが、上記決済手段を選択しないときには、使用される有無線インターネット電話端末２１の基本料金が適用される。
【００３３】
ただし、公衆電話形態のインターネット電話機（インターネット公衆電話）では、決済手段を選択しなければならない。
【００３４】
上記Ｓ４０段階は、図３に示すように、加入時にユーザ２０が格納した電話番号目録を、個人電話帳格納データベース１２から呼び出す個人電話番号呼出サービスメニューと、加入時にユーザ２０が付加的に提供を受けるように設定した条件の該当電話番号を、付加提供電話帳格納データベース１３から提供される付加サービスメニューとが、有無線インターネット電話端末２１での別窓表示で活性化されるＳ４１段階と、上記個人電話番号呼出サービスメニューまたは付加サービスメニューのうちサービスを受けようとするメニューを有無線インターネット電話端末２１のボタンで選択し、個人電話番号の呼出または付加サービス電話番号の提供を受けるＳ４２段階と、上記個人電話番号呼出サービスの選択時に、最初のユーザ２０の携帯電話端末２２に格納されたグループのメニューが活性化され、また、付加サービスの選択時に、関心のある地域または現在地域の業種別グループメニューが活性化されるＳ４３段階と、上記個人電話番号呼出サービスグループの選択時に、該当グループに属する該当者の電話番号が、ユーザ２０の携帯電話端末２２に格納されている順番通りに並べられ、また、付加サービスグループの選択時に、該当グループに属する該当業種の電話番号を、受信者の料金プランまたはユーザ２０の使用中の有無線インターネット電話端末２１が加入されたインターネット電話通信事業者の料金プランに応じた無料通話と低廉な通信費用を優先して並べるＳ４４段階と、上記個人電話番号呼出サービスにより呼び出される電話番号または付加サービスにより提供される電話番号のうち通話しようとする電話番号を選択して通話連結するが、ユーザ２０は、外部数字列ボタンにより、有無線インターネット電話端末２１の画面上に構成される数字コードを有するメニューのうち通話しようとする電話番号をツリー構造の下位レベルに行って通話連結する方法、またはユーザ２０が探そうとする該当グループや相手方３０の文字列及び該当電話番号の一部数字列を、有無線インターネット電話端末２１の検索窓で検索して通話連結する方法のうちのいずれか一つを選択して通話連結するＳ４５段階とを含む。
【００３５】
上記Ｓ５０段階では、個人向けカスタマイズインターネット電話サービスのウェブサーバ１０の個人電話帳格納データベース１２から呼び出しや提供がなされない新規番号の通話連結前または通話連結後に、有無線インターネット電話端末２１の画面上に提供される新規格納メニューボタンが活性化され、上記個人向けカスタマイズインターネット電話サービスのウェブサーバ１０の個人電話帳格納データベース１２に格納されている電話番号目録に新規に格納される。
【００３６】
上記個人向けカスタマイズインターネット電話サービスのウェブサーバ１０の個人電話帳格納データベース１２から呼び出す電話番号は、使用する有無線インターネット電話端末２１には格納されず、単に電話番号を呼び出し、または提供を受けて通話する。
【００３７】
また、上記有無線インターネット電話端末２１の使用が終了する度に、ユーザ２０が電話した日時と電話番号、通話時間、通話料金及び通話料金の決済手段が、個人向けカスタマイズインターネット電話サービスのウェブサーバ１０の個人情報格納データベース１１に自動格納され、また、上記利用内訳は、ユーザ２０が個人向けカスタマイズインターネット電話サービスのウェブサーバ１０に加入する際に入力した電子メールへ自動発送またはユーザ２０の携帯電話端末へ関連文字メッセージが自動発送され、ユーザ２０は、個人向けカスタマイズインターネット電話サービスのウェブサーバ１０にログインして上記利用内訳を確認することができる。
【００３８】
上記個人向けカスタマイズインターネット電話サービスのウェブサーバ１０に、有無線インターネット電話端末２１を用いてログインし、または有無線インターネット電話端末２１で電話をした後、一定時間ボタンによる入力信号がない場合と、上記有無線インターネット電話端末２１でユーザ２０が受話器を置いたり強制終了メニューボタンを選択したりする場合とに、ユーザ２０の終了信号として認識し、上記個人向けカスタマイズインターネット電話サービスのウェブサーバ１０から自動的にログアウトされる。
【００３９】
上記有無線インターネット電話端末２１は、コンピュータ端末に直接連結される音声通話手段を含む。
【００４０】
図４は、本発明の個人向けカスタマイズインターネット電話サービスを用いた実施構成図を示すものであり、個人情報格納データベース１１と個人電話帳格納データベース１２と付加提供電話帳格納データベース１３とを備える個人向けカスタマイズインターネット電話サービスのウェブサーバ１０が備えられ、ユーザ２０は、上記個人向けカスタマイズインターネット電話サービスのウェブサーバ１０にインターネットに接続可能な有無線端末を介して接続し、サービス加入及び個人情報を個人情報格納データベース１１に格納し、使用中の携帯電話端末２２の電話番号目録を個人電話帳格納データベース１２に格納するか、または上記個人電話帳格納データベース１２から携帯電話端末２２に格納することができ、上記個人電話帳格納データベース１２から電話番号目録を有無線インターネット電話端末２１で呼び出すか、または付加提供電話帳格納データベース１３から付加的な電話番号の提供を受け、相手方３０の電話端末３１と通話し、さらに、上記個人電話帳格納データベース１２に格納されていない新規電話番号へ通話したときには、個人電話帳格納データベース１２に上記新規電話番号を格納することができる。
【００４１】
図５と図６は、本発明の有無線インターネット電話端末２１における電話番号の検索過程を示す参考図であり、図５（ａ）及び図６（ａ）に示すように、有無線インターネット電話端末２１を用いてＩＤ（ユーザ携帯電話番号／文字／数字）及び設定したパスワードを用いた認証方法、またはユーザ２０の携帯電話に認証番号を文字で発送して認証する方法、またはユーザ２０の公認認証書及びそのパスワードを用いた認証方法、またはユーザ２０のクレジットカード及びそのパスワードを用いた認証方法の中から選択された認証方法により、個人向けカスタマイズインターネット電話サービスのウェブサーバ１０に接続した後、図５（ｂ）及び図６（ｂ）に示すように、サービスの加入時に登録された基本決済手段である携帯電話料金として請求される方法をそのまま選択するか、または、有無線インターネット電話端末２１に備えられる上下ボタンを用いて他の決済手段を選択する。
【００４２】
上記決済手段の選択後に、個人電話番号呼出サービスメニューまたは付加サービスメニューのうちのいずれか一つを選択するが、図５（ｃ）は、上記個人電話番号呼出サービスメニューを選択した実施例を示しており、図５（ｄ）は、上記個人電話番号呼出サービスの下位メニューのうち検索を希望するメニューの中で全体メニューを選択すれば、図５（ｅ）に示すような検索結果が示され、図５（ｆ）に示すように、有無線インターネット電話端末２１に備えられる上下ボタンを用い、通話を希望する相手方の名前を検索して通話する。
【００４３】
また、上記決済手段の選択後に、個人電話番号呼出サービスメニューまたは付加サービスメニューのうちのいずれか一つを選択するにおいて、図６（ｃ）は、上記付加サービスメニューを選択した実施例を示しており、図６（ｄ）は、上記付加サービスの下位メニューのうち検索を希望するメニューの中で関心のある地域メニューを選択すれば、図６（ｅ）に示すように、関心のある地域の下位メニューが示され、希望するメニューの中で銀行メニューを選択すれば、図６（ｆ）に示すような検索結果が示され、図６（ｇ）に示すように、有無線インターネット電話端末２１に備えられる上下ボタンを用い、通話を希望する商号を検索して通話する。
【００４４】
上記図５及び図６は、電話番号をツリー構造の下位レベルに行って通話連結する方法を示す実施例であり、上記Ｓ４５段階でのように、本人認証と決済手段の選択後に示される検索窓で、検索画面でユーザ２０が探そうとする該当グループや相手方３０の文字列及び該当電話番号の一部数字列を直接検索して通話連結することもできる。
【００４５】
本発明は、上述した個人向けカスタマイズインターネット電話サービスのウェブサーバ１０を用いて電話できる有無線インターネット電話端末２１を提供し、また、上記有無線インターネット電話端末２１には、インターネットに接続可能なあらゆる通話端末、即ち、インターネット電話機、一般家庭用電話機、事務用形態の電話機、公衆電話形態の電話機、携帯電話形態の電話機、ナビゲーションやＰＭＰ形態の電話機、腕時計形態の電話機などと、コンピュータ端末に直接連結して通話できるイヤホンとマイクを備える装置までも含まれる。また、上記インターネット接続は、ディスプレイ画面と入力選択手段をタッチスクリーン方式で提供するか、または、ディスプレイ画面は、液晶ディスプレイを提供し、入力選択手段は、一般のボタンクリック方式で提供する。
【００４６】
従って、本発明は、個人向けカスタマイズインターネット電話サービスのウェブサーバ１０にユーザ２０が会員登録した後、上記ウェブサーバの個人電話帳格納データベース１２に使用中の携帯電話端末２２の電話番号目録を自動または手動で格納した後、インターネットに接続可能な有無線インターネット電話端末２１や一般の携帯電話、家庭用電話機、事務用電話機、ＰＤＡ、公衆電話機などのような、既存に使用中のインターネット電話通信事業者のインターネット電話サービスが可能な有無線インターネット電話端末２１を用いて電話をかけるにあたり、上記端末に備えられるインターネット接続手段を用いて上記個人向けカスタマイズインターネット電話サービスのウェブサーバ１０に接続し、自身の携帯電話端末２２で格納された電話番号目録を呼び出すか、または、上記ウェブサーバから提供される関心のある地域または現在地域での業種別電話番号目録の提供を受け、呼び出しまたは提供される電話番号を用いて通話する個人向けカスタマイズインターネット電話サービスを提供する方法及びそれを用いる端末を含む。
【００４７】
本発明は、特定の実施例と関連して図示及び説明したが、添付された特許請求の範囲により示される発明の思想及び領域から逸脱しない範囲内で多様な改造及び変更が可能であるというのは、当業界で通常の知識を有する者であれば誰でも容易に分かるものである。
【符号の説明】
【００４８】
１０  個人向けカスタマイズインターネット電話サービスのウェブサーバ
１１  個人情報格納データベース
１２  個人電話帳格納データベース
１３  付加提供電話帳格納データベース
２０  ユーザ
２１  有無線インターネット電話端末
２２  携帯電話端末
３０  相手方
３１  電話端末
【図１】
2012516101.tif 000003
【図２】
2012516101.tif 000004
【図３】
2012516101.tif 000005
【図４】
2012516101.tif 000006
【図５】
2012516101.tif 000007
【図６】
2012516101.tif 000008
【国際調査報告】
2012516101.tif 000009
2012516101.tif 000010
2012516101.tif 000011
2012516101.tif 000012